(57)【要約】      （修正有）【課題】簡単な作業で安価に製造できるようにした鏡を提供する。【解決手段】鏡本体が背板に鏡板を取付けて構成され、背板背面にはスタンド上端部が取付けブラケットにより回転可能に取付けられ、スタンドで自立可能となした鏡においてスタンド１３の一端部に取付け軸１３Ａが横幅方向に突出して設けられ、背板１１背面に補強用ベース板部１１Ｇが一体的に形成され、ベース板部は取付けブラケット部１１Ａが一体形成され、取付けブラケット部に取付け軸を回転自在に嵌入し得る軸受け部１１Ｄが形成され、背板に背板正面側からスタンド他端部を挿入して取付け軸を軸受け部に嵌入させ得る大きさの差込み口１１Ｅが軸受け部に連通して形成され、スタンドがその他端部側から差込み口に挿入されて取付け軸が取付けブラケット部の軸受け部に回転可能に嵌入され、背板正面側に鏡板が固定されることで差込み口が封鎖される。【選択図】図３
0003184578.tif 000002
【実用新案登録請求の範囲】
【請求項１】
鏡本体が背板に鏡板を取付けて構成される一方、背板の背面にはスタンド上端部が取付けブラケットによって回転可能に取付けられ、スタンドによって自立可能となした鏡において、
上記スタンド（１３）の一端部には取付け軸（１３Ａ）が横幅方向に突出して設けられ、上記背板（１１）の背面には補強用のベース板部（１１Ｇ）が一体に形成されるとともに、該ベース板部（１１Ｇ）には取付けブラケット部（１１Ａ）が一体に形成され、
該取付けブラケット部（１１Ａ）には上記取付け軸（１３Ａ）を回転自在に嵌入し得る軸受け部（１１Ｄ）が形成され、上記背板（１１）には背板正面側から上記スタンド（１３）他端部を挿入して上記取付け軸（１３Ａ）を上記軸受け部（１１Ｄ）に嵌入させ得る大きさの差込み口（１１Ｅ）が上記軸受け部（１１Ｄ）に連通して形成され、上記スタンド（１３）がその他端部側から上記差込み口（１１Ｅ）に挿入されて上記取付け軸（１３Ａ）が上記取付けブラケット部（１１）の軸受け部（１１Ｄ）に回転可能に嵌入され、上記背板（１１）の正面側に鏡板（１２）が固定されることによって上記差込み口（１１Ｅ）が封鎖されていることを特徴とする鏡。
【請求項２】
上記背板（１１）の背面には壁面の係止具を引っ掛ける壁掛け用の係止凹部（１１Ｂ、１１Ｃ）が形成されている請求項１記載の鏡。
【考案の詳細な説明】
【技術分野】
【０００１】
この考案は鏡に関し、特に簡単な作業で安価に製造できるようにした鏡に関する。
【背景技術】
【０００２】
鏡、例えば卓上鏡は鏡本体とスタンドとから構成され、卓上においてスタンドによって鏡本体を所望の角度に起立させた姿勢に保持するようになっている。
【０００３】
従来、この種の鏡では、背板の背面に取付けブラケットを設け、取付けブラケットにスタンド上端部の取付け軸を嵌め込み、スタンドを取付けブラケットに設けたピンに係止させてスタンドの傾斜を調整するようにした構造が知られている（特許文献１、特許文献２）。
【０００４】
しかし、特許文献１、２記載の鏡ではスタンドに過大な荷重や衝撃が加わると、取付けブラケットに荷重や衝撃が作用して取付けブラケットが破損するおそれがあった。
【０００５】
、
これに対し、本件出願人は、背板にリベット又はねじが挿通される挿通穴を形成し、該挿通穴の背板正面側にはリベットの端部又はねじの頭部を嵌まり込む段部又は凹部を形成する一方、取付けブラケットとベース板とを一体的に形成し、ベース板にはリベットが挿通される挿通穴又はねじが螺合されるねじ穴を形成し、背板の挿通穴に背板正面側からリベット又はねじを挿通し、リベットをベース板の挿通穴に挿通して締付けるか又はねじをベース板のねじ穴に螺合させることによって、ベース板を背板に固定するようにした鏡を提案するに至った（特許文献３）。
【先行技術文献】
【特許文献】
【０００６】
【特許文献１】実開昭５９−１０１７７７号公報
【特許文献２】実開平０６−３３５６８号公報
【特許文献３】実用新案登録第３１７９７０７号公報
【考案の開示】
【考案が解決しようとする課題】
【０００７】
しかし、特許文献３記載の鏡では取付けブラケットを形成したベース板と背板を別々に製造する必要があるばかりでなく、背板にリベットやねじでベース板を固定する作業が必要であり、この点で改良の余地があった。
【０００８】
本考案はかかる点に鑑み、簡単な作業で安価に製造できるようにした鏡を提供することを課題とする。
【課題を解決するための手段】
【０００９】
そこで、本考案に係る鏡は、鏡本体が背板に鏡板を取付けて構成される一方、背板の背面にはスタンド上端部が取付けブラケットによって回転可能に取付けられ、スタンドによって自立可能となした鏡において、上記スタンドの一端部には取付け軸が横幅方向に突出して設けられ、上記背板の背面には補強用のベース板部が一体に形成されるとともに、該ベース板部には取付けブラケット部が一体に形成され、該取付けブラケット部には上記取付け軸を回転自在に嵌入し得る軸受け部が形成され、上記背板には背板正面側から上記スタンド他端部を挿入して上記取付け軸を上記軸受け部に嵌入させ得る大きさの差込み口が上記軸受け部に連通して形成され、上記スタンドがその他端部側から上記差込み口に挿入されて上記取付け軸が上記取付けブラケット部の軸受け部に回転可能に嵌入され、上記背板の正面側に鏡板が固定されることによって上記差込み口が封鎖されていることを特徴とする。
【００１０】
本発明の特徴の１つは背板、ベース板部及び取付けブラケット部を一体に形成するようにした点にある。これにより、背板、ベース板部及び取付けブラケット部を金型によって一度に製造でき、特許文献３記載の鏡のように、ベース板を背板に固定する作業が必要なく、製造工程を簡略化でき、低コスト化を実現できる。
【００１１】
スタンドは取付けブラケットに対して回転自在に取付けてもよいが、鏡本体に荷重や衝撃が加わったときにスタンドが傾いて鏡本体が倒れてしまい、荷重や衝撃の加わり方によってはスタンドと取付けブラケットとの取付け部位が破損するおそれがある。そこで、取付けブラケットには内端側に逆Ｌ字状の係止突起を形成し、スタンドの傾斜を規制するようにするのがよい。
【００１２】
鏡板及び背板の形状は特に限定されず、円形や多角形、動物など、任意の形状を採用することができる。
【００１３】
本考案に係る鏡は基本的には卓上鏡の形式であるが、背板の背面には壁面の係止具を引っ掛ける壁掛け用の係止凹部を形成し、壁掛け鏡の機能を付与することもできる。
【図面の簡単な説明】
【００１４】
【図１】本考案に係る鏡の実施形態を背面から見たときの斜視図である。
【図２】上記実施形態を正面から見たときの斜視図である。
【図３】上記実施形態における背板とスタンドの取付け構造を示す分解斜視図である。
【図４】上記実施形態におけるスタンドと取付けブラケットとの関係を示す斜視図である。
【図５】第２の実施形態におけるスタンドと取付けブラケットとの関係を示す斜視図である。
【考案を実施するための形態】
【００１５】
以下、本考案を図面に示す具体例に基づいて詳細に説明する。図１ないし図４は本考案に係る鏡の好ましい実施形態を示す。図において、鏡は鏡本体１０とスタンド１３とから構成され、鏡本体１０は四角形状の背板１１と背板１１の正面側に例えば両面粘着テープや接着剤によって取付けられた鏡板１１とから構成されている。
【００１６】
背板１１は合成樹脂材料を用いて製作され、スタンド１３は合成樹脂材料を用いて帯板状に製造され、一端部両側には取付けピン（取付け軸）１３Ａが横方向に突出して一体に形成されている。
【００１７】
背板１１の背面には補強用のベース板部１１Ｇが背板１１と一体に形成され、ベース板部１１Ｇには左右一対の取付けブラケット部１１Ａがベース板１１Ｇと一体に形成され、取付けブラケット部１１Ａには内面側にスタンド１３の取付けピン１３Ａを回転自在に嵌入する軸受け部１１Ｄが形成され、背板１１には差込み口１１Ｅが軸受け部１１Ｄに連通して形成され、又ベース板部１１Ｇ及び背板１１の背面には卓上鏡を壁面のフックなどに引っ掛けるための係止凹部１１Ｂ、１１Ｃが形成されている。
【００１８】
また、左右一対の取付けブラケット１１Ａの内端部には逆Ｌ字状の係止突起１１Ｆが一体に形成されている。
【００１９】
本例の鏡を組立てる場合、背板１１の正面側から背板１１の差込み口１１Ｅにスタンド１３の他端側を挿入し、スタンド１３の取付けピン１３Ａを取付けブラケット部１１Ａの軸受け部１１Ｄに回転自在に嵌め込んだ後、背板１１の正面側に鏡板１２を固着すると、差込み口１１Ｅが封鎖されてスタンド１３が抜け止めされる。
【００２０】
卓上鏡として使用する場合にはスタンド１３を係止突起１１Ｆによって回転を規制される所定の角度に起立させれば、鏡を自立させることができる。また、壁掛け鏡として使用する場合に係止凹部１１Ｂ、１１Ｃに壁面のフックを引っ掛けるようにすればよい。
【００２１】
以上のように、本例の鏡ではベース板部１１Ｇ及び取付けブラケット部１１Ａを背板１１と一体に形成するようにしたので、スタンド１３に過大な荷重や衝撃が加わってもベース板部１１Ｇや取付けブラケット部１１Ａが背板１１から壊れて外れるおそれは少なく、商品の信頼性を大幅に向上させることができる。
【００２２】
また、取付けブラケット部１１Ａの内端側に逆Ｌ字状の係止突起１１Ｆを形成し、スタンド１３を大きく傾斜させると、スタンド１３が係止突起１１Ｆに当たり、それ以上の傾動を規制されるようにしたので、鏡本体１０に過大な荷重や衝撃が加わってもスタンド１３が大きく傾くことはなく、荷重や衝撃によって卓上鏡が破損するおそれが少ない。
【００２３】
図５は第２の実施形態を示す。図において、図１ないし図４と同一符号は同一又は相当部分を示す。本例ではスタンド１３の一端部側に突起１３Ｂを形成し、取付けブラケット部１１Ａの係止突起１１Ｆに当接させて確実に傾動を規制するようになっている以外、第１の実施形態と同様の構造に形成されている。なお、突起１３Ｂはスタンド１２の幅方向の一方に形成しているが、両方に形成するようにしてもよい。
【００２４】
なお、上記の例では壁掛け用の係止凹部を形成したが、係止凹部は必ずしも形成する必要はない。
【符号の説明】
【００２５】
１０      鏡本体
１１      背板
１１Ａ    取付けブラケット部
１１Ｂ、１１Ｃ    係止凹部
１１Ｄ    軸受け部
１１Ｅ    差込み口
１１Ｆ    係止突起
１２      鏡
１３      スタンド
１３Ａ      取付けピン（取付け軸）
１３Ｂ      突起
【図１】
0003184578.tif 000003
【図２】
0003184578.tif 000004
【図３】
0003184578.tif 000005
【図４】
0003184578.tif 000006
【図５】
0003184578.tif 000007